(57)【要約】【課題】コルゲートチューブの回転、縮径および浮き上がりを防止できる、プロテクタを提供する。【解決手段】プロテクタ７のベース１１内の空間２１には、コルゲートチューブ２が延在される。このとき、コルゲートチューブ２の外周面に形成されている環状の凹部３に、外壁部１３の内面から突出する円弧状のベース側突条部１４が嵌まる。また、コルゲートチューブ２にその全長にわたって形成されているスリット５には、外壁部１３の内面から突出して延在方向に延びる縦壁状部１５が挿通される。さらに、コルゲートチューブ２とコルゲートチューブ２が被覆するワイヤハーネス１との間に、縦壁状部１５から延在方向と交差する方向の両側に延出する介在部１６が介在される。【選択図】図１
2020198672.tif 000002
【特許請求の範囲】
【請求項１】
外周面に形成された環状の凹部および全長にわたって形成されたスリットを有するコルゲートチューブが係止されるプロテクタであって、
前記コルゲートチューブが所定方向に延在される空間を内側に提供する外壁部と、
前記外壁部の内面から突出して円弧状に延び、前記コルゲートチューブの前記凹部に嵌まる突条部と、
前記内面から突出して前記所定方向に延び、前記コルゲートチューブの前記スリットに挿通される縦壁状部と、
前記縦壁状部から前記所定方向と交差する方向の両側に延出し、前記コルゲートチューブと前記コルゲートチューブが被覆する電線束との間に介在される介在部とを含み、
前記外壁部には、前記介在部と前記縦壁状部の突出方向に対向する位置に、開口が形成されている、プロテクタ。
【発明の詳細な説明】
【技術分野】
【０００１】
本発明は、コルゲートチューブが係止されるプロテクタに関する。
【背景技術】
【０００２】
自動車などの車両には、電装品への電力供給や信号伝達のためのワイヤハーネスが配索される。ワイヤハーネスは、複数の電線を束ねたものであり、その電線の結束や電線束の保護のために、ワイヤハーネスの一部に、コルゲートチューブが被せられることがある。
【０００３】
コルゲートチューブは、プロテクタに係止され、ワイヤハーネスは、コルゲートチューブを介してプロテクタに保持される。プロテクタの内部には、円弧状に延びる係止突条が形成されており、コルゲートチューブの外周面の凹部に係止突条が嵌まることにより、コルゲートチューブがプロテクタに係止される。
【先行技術文献】
【特許文献】
【０００４】
【特許文献１】特開２０１０−２２０３６２号公報
【発明の概要】
【発明が解決しようとする課題】
【０００５】
ところが、従来のプロテクタには、コルゲートチューブの回り止めとなる構成が存在しない。そのため、コルゲートチューブにスポンジ材を巻き、スポンジ材をコルゲートチューブの凹部とプロテクタとに噛み込ませることにより、コルゲートチューブとプロテクタとの相対回転が抑制される。しかし、コルゲートチューブに回転方向の大きな力が加わると、やはりコルゲートチューブが回ってしまう。
【０００６】
コルゲートチューブをワイヤハーネスに被せることができるよう、コルゲートチューブには、スリットが全長にわたって形成されている。これにより、コルゲートチューブは、スリットの両側に互いに突き合わされる端部を有している。一方側の端部が他方側の端部に対して内側に落ち込んで、それらの端部が重なることによりコルゲートチューブが縮径すると、コルゲートチューブの凹部が係止突条から外れて、コルゲートチューブがプロテクタから脱落するおそれがある。
【０００７】
また、プロテクタは、コルゲートチューブを受け入れる受入口が形成されたベースと、ベースの受入口を開閉するカバーとを備えている。コルゲートチューブが受入口からベースに受け入れられた後、カバーにより受入口が閉じられるが、受入口が閉じられるまでに、ワイヤハーネスの剛性によりコルゲートチューブがベースから浮き上がることがある。
【０００８】
本発明の目的は、コルゲートチューブの回転、縮径および浮き上がりを防止できる、プロテクタを提供することである。
【課題を解決するための手段】
【０００９】
前記の目的を達成するため、本発明に係るプロテクタは、外周面に形成された環状の凹部および全長にわたって形成されたスリットを有するコルゲートチューブが係止されるプロテクタであって、コルゲートチューブが所定方向に延在される空間を内側に提供する外壁部と、外壁部の内面から突出して円弧状に延び、コルゲートチューブの凹部に嵌まる突条部と、内面から突出して所定方向に延び、コルゲートチューブのスリットに挿通される縦壁状部と、縦壁状部から所定方向と交差する方向の両側に延出し、コルゲートチューブとコルゲートチューブが被覆する電線束との間に介在される介在部とを含み、外壁部には、介在部と縦壁状部の突出方向に対向する位置に、開口が形成されている。
【００１０】
この構成によれば、外壁部の内側の空間には、コルゲートチューブが所定方向に延在される。このとき、コルゲートチューブの外周面に形成されている環状の凹部に、外壁部の内面から突出する円弧状の突条部が嵌まる。これにより、コルゲートチューブがプロテクタに対して所定方向にずれることを抑制できる。また、コルゲートチューブにその全長にわたって形成されているスリットには、外壁部の内面から突出して所定方向に延びる縦壁状部が挿通される。これにより、コルゲートチューブがスリットの両側に有する各端部に縦壁状部が対向するので、コルゲートチューブがプロテクタに対して回ることを防止できる。さらに、コルゲートチューブとコルゲートチューブが被覆する電線束との間に、縦壁状部から所定方向と交差する方向の両側に延出する介在部が介在される。これにより、スリットの両側の各端部がコルゲートチューブの内側に落ち込むことを防止でき、それらの端部が重なることによるコルゲートチューブの縮径を防止できる。また、コルゲートチューブが縦壁状部の突出方向に浮き上がることを防止できる。
【００１１】
そのうえ、外壁部における介在部と縦壁状部の突出方向に対向する位置に開口が形成されているので、プロテクタに対するコルゲートチューブの係止状態を確認するために、その確認作業を行う者が開口からコルゲートチューブの所定方向の位置を目視で確認することができる。
【発明の効果】
【００１２】
本発明によれば、コルゲートチューブの回転、縮径および浮き上がりを防止できる。また、コルゲートチューブの所定方向の位置を目視で確認することができる。
【図面の簡単な説明】
【００１３】
【図１】本発明の一実施形態に係るプロテクタの構成を示す断面図であり、プロテクタにコルゲートチューブが係止されている状態を示す。
【図２】プロテクタの分解斜視図である。
【図３】プロテクタのベースの平面図である。
【発明を実施するための形態】
【００１４】
以下では、本発明の実施の形態について、添付図面を参照しつつ詳細に説明する。
【００１５】
＜各部材の構成＞
図１は、本発明の一実施形態に係るプロテクタ７の構成を示す断面図であり、プロテクタ７にコルゲートチューブ２が係止されている状態を示す。
【００１６】
自動車などの車両には、電装品への電力供給や信号伝達のためのワイヤハーネス１が配索される。ワイヤハーネス１は、複数の電線を束ねたものであり、ワイヤハーネス１の一部には、電線の結束や電線束の保護のために、合成樹脂製のコルゲートチューブ２が被せられることがある。
【００１７】
コルゲートチューブ２は、蛇腹状のチューブの形態をなしており、外周面に、中心線方向に交互に繰り返される環状の凹部３および凸部４を有している。また、コルゲートチューブ２には、スリット５がその全長にわたって形成されている。このスリット５の形成により、コルゲートチューブ２は、スリット５の両側に互いに突き合わされる端部６を有している。コルゲートチューブ２は、端部６間を拡げて、その拡がった端部６間の隙間（拡がったスリット５）にワイヤハーネス１を通して、ワイヤハーネス１に周囲を取り囲むように被せることができる。
【００１８】
プロテクタ７は、コルゲートチューブ２が係止される部材であり、ワイヤハーネス１は、コルゲートチューブ２を介してプロテクタ７に保持される。プロテクタ７は、ベース１１と、ベース１１に一方側から装着されるカバー１２とを備えている。ベース１１およびカバー１２は、それぞれ合成樹脂で一体成形された樹脂成形品である。
【００１９】
＜プロテクタの詳細な構成＞
図２は、プロテクタ７の分解斜視図（ベース１１とカバー１２とを分離させて示す斜視図）である。図３は、ベース１１の平面図である。
【００２０】
ベース１１は、外壁部１３、ベース側突条部１４、縦壁状部１５および介在部１６を有している。
【００２１】
外壁部１３は、直方体形状の外形を呈し、コルゲートチューブ２が延在される空間２１を内側に提供する。外壁部１３のカバー１２側の端面は、コルゲートチューブ２を空間２１に受け入れる受入口２２として開放されている。また、外壁部１３には、空間２１におけるコルゲートチューブ２の延在方向（以下、単に「延在方向」という。）の一方側および他方側の側面に、それぞれ受入口２２側からＵ字状に切り欠かれた第１挿通口２３および第２挿通口２４が形成されている。第１挿通口２３は、空間２１に受け入れられたコルゲートチューブ２が挿通される開口である。第２挿通口２４は、空間２１に受け入れられたコルゲートチューブ２から延出するワイヤハーネス１が挿通される開口である。外壁部１３の内面２５は、第１挿通口２３に連続するＵ字状に形成されている。内面２５の湾曲部分の曲率は、コルゲートチューブ２の凸部４の曲率とほぼ同じに設定されている。
【００２２】
ベース側突条部１４は、外壁部１３の内面２５における第１挿通口２３側の端から所定幅の領域２６に、内面２５から突出して円弧状に延びる断面三角形状の突条として形成されている。領域２６には、４つのベース側突条部１４が等ピッチで（等間隔を空けて）形成されている。ベース側突条部１４のピッチは、コルゲートチューブ２の凹部３のピッチと同じに設定されている。４つのベース側突条部１４のうち、第２挿通口２４側の最端に形成されているベース側突条部１４には、その中央部がコルゲートチューブ２の凸部４の外径とほぼ同じ幅を有する略矩形状に切り欠かれることにより、切欠部２７が形成されている。
【００２３】
外壁部１３の内面２５における領域２６を除いた残りの領域２８には、ベース側突条部１４が形成されておらず、その延在方向の寸法は、コルゲートチューブ２の２つの凸部４を配置可能な寸法に設定されている。縦壁状部１５は、その領域２８の最下部から突出して延在方向に延びる壁状に形成されている。縦壁状部１５は、外壁部１３の第２挿通口２４が形成された側面に接続されている。
【００２４】
介在部１６は、縦壁状部１５の先端部の延在方向の全幅から縦壁状部１５の厚さ方向の両側に延出している。介在部１６は、縦壁状部１５の突出方向から見た形状が矩形状であり、第２挿通口２４の円弧状部分とほぼ同じ曲率で湾曲している。介在部１６は、第２挿通口２４の円弧状部分の周縁に接続されている。
【００２５】
外壁部１３の内面２５の領域２８には、縦壁状部１５の両側の各介在部１６と縦壁状部１５の突出方向に対向する位置に、介在部１６と突出方向から見て同一形状で同一サイズの開口２９が形成されている。
【００２６】
カバー１２は、ベース１１の受入口２２を取り囲む周形状と同一形状で同一サイズの周形状を有する矩形板状に形成されている。カバー１２がベース１１に装着された状態で、カバー１２により受入口２２が閉鎖される。カバー１２がベース１１から離脱された状態では、受入口２２がコルゲートチューブ２を受入可能に開放される。
【００２７】
カバー１２の内面３１、つまりカバー１２がベース１１に装着された状態でベース１１（外壁部１３）内の空間２１に臨む面３１には、４つのカバー側突条部３２が等ピッチで形成されている。ベース側突条部１４のピッチは、コルゲートチューブ２の凹部３のピッチと同じに設定され、各カバー側突条部３２は、ベース１１のベース側突条部１４と延在方向に同じ位置に配置されている。各カバー側突条部３２は、カバー１２がベース１１に装着された状態で延在方向と直交する方向に延びる板状をなし、その先端から内面３１側に凹むように円弧状に湾曲した形状を有している。
【００２８】
また、カバー１２の内面３１において、カバー側突条部３２は、一方側に偏っており、その反対側の端縁に沿って、干渉防止壁３３が設けられている。干渉防止壁３３は、板状をなし、その先端から内面３１側に凹むように円弧状に湾曲した形状を有している。
【００２９】
コルゲートチューブ２がプロテクタ７に係止される際には、カバー１２がベース１１から離脱されて、ベース１１の受入口２２が開放された状態で、コルゲートチューブ２の端部がベース１１内の空間２１に差し込まれる。その後、コルゲートチューブ２が第２挿通口２４側の最端のベース側突条部１４の切欠部２７に通されて、コルゲートチューブ２のスリット５に縦壁状部１５が進入し、ワイヤハーネス１とコルゲートチューブ２との間に介在部１６が差し込まれるように、コルゲートチューブ２の端が外壁部１３の第２挿通口２４側の側面に近づけられる。コルゲートチューブ２の端が外壁部１３の第２挿通口２４側の側面に当接すると、コルゲートチューブ２の伸縮状態が調節されて、４つのベース側突条部１４がコルゲートチューブ２の凹部３に嵌められる。
【００３０】
そして、カバー１２の４つのカバー側突条部３２が４つのベース側突条部１４が嵌まっている凹部３に嵌まり、カバー１２の干渉防止壁３３がベース１１の第２挿通口２４に嵌まるように、カバー１２の位置が調節されて、カバー１２がベース１１に装着される。この状態において、図１に示されるように、外壁部１３の内面２５の領域２８には、コルゲートチューブ２の２つの凸部４が配置されるので、開口２９を介して、その２つの凸部４を目視で確認することができる。また、干渉防止壁３３が第２挿通口２４に嵌まることにより、第２挿通口２４の一部が干渉防止壁３３で閉鎖されて、第２挿通口２４に挿通されるワイヤハーネス１の動きが制限されるので、ワイヤハーネス１とコルゲートチューブ２の第２挿通口２４側の端のエッジとが干渉することを防止できる。
【００３１】
＜作用効果＞
以上のように、ベース１１の外壁部１３の内側の空間２１には、コルゲートチューブ２が延在される。このとき、コルゲートチューブ２の外周面に形成されている環状の凹部３に、外壁部１３の内面２５から突出する円弧状のベース側突条部１４が嵌まる。これにより、コルゲートチューブ２がプロテクタ７に対し延在方向にずれることを抑制できる。また、コルゲートチューブ２にその全長にわたって形成されているスリット５には、外壁部１３の内面２５から突出して延在方向に延びる縦壁状部１５が挿通される。これにより、コルゲートチューブ２がスリット５の両側に有する各端部６に縦壁状部１５が対向するので、コルゲートチューブ２がプロテクタ７に対して回ることを防止できる。さらに、コルゲートチューブ２とコルゲートチューブ２が被覆するワイヤハーネス１との間に、縦壁状部１５から延在方向と交差する方向の両側に延出する介在部１６が介在される。これにより、スリット５の両側の各端部がコルゲートチューブ２の内側に落ち込むことを防止でき、それらの端部が重なることによるコルゲートチューブ２の縮径を防止できる。また、コルゲートチューブ２が縦壁状部１５の突出方向に浮き上がることを防止できる。
【００３２】
そのうえ、外壁部１３における介在部１６と縦壁状部１５の突出方向に対向する位置に開口２９が形成されているので、プロテクタ７に対するコルゲートチューブ２の係止状態を確認するために、その確認作業を行う者が開口２９からコルゲートチューブ２の延在方向の位置（外壁部１３の内面２５の領域２８に２つの凸部４が存在すること）を目視で確認することができる。
【００３３】
＜変形例＞
以上、本発明の一実施形態について説明したが、本発明は、他の形態で実施することもできる。
【００３４】
たとえば、前述の実施形態では、ベース１１に４つのベース側突条部１４が形成された構成を取り上げたが、ベース側突条部１４の数は、３以下であってもよいし、５以上であってもよい。
【００３５】
また、４つのベース側突条部１４に対応して４つのカバー側突条部３２がカバー１２に形成されている構成を取り上げたが、カバー側突条部３２の数は、ベース側突条部１４の数に応じて、３以下であってもよいし、５以上であってもよい。
【００３６】
さらには、カバー側突条部３２が各ベース側突条部１４に対応して設けられる必要はなく、たとえば、カバー側突条部３２が４つのベース側突条部１４のうちの１〜３つのベース側突条部１４に対応して設けられていてもよい。また、ベース側突条部１４がコルゲートチューブ２の凹部３の１８０°の範囲に嵌まる構成であれば、カバー側突条部３２が設けられなくても、コルゲートチューブ２の位置が延在方向にずれることを抑制できるので、カバー側突条部３２が省略されてもよい。これにより、カバー１２の構成を簡素化することができる。
【００３７】
その他、前述の構成には、特許請求の範囲に記載された事項の範囲で種々の設計変更を施すことが可能である。
【符号の説明】
【００３８】
１：ワイヤハーネス（電線束）
２：コルゲートチューブ
３：凹部
５：スリット
７：プロテクタ
１３：外壁部
１４：ベース側突条部（突条部）
１５：縦壁状部
１６：介在部
２１：空間
２５：内面
２９：開口
【図１】
2020198672.tif 000003
【図２】
2020198672.tif 000004
【図３】
2020198672.tif 000005